(57)【要約】【課題】電気コネクタを取付対象部材に取り付ける際の作業性を向上させることができるコネクタ取付具を提供する。【解決手段】電気コネクタを取付対象部材に取り付けるための樹脂製コネクタ取付具１は、前記取付対象部材に固定可能に構成された固定部５と、前記固定部に連結されて前記電気コネクタを取付可能に構成された取付部６とを備える。前記取付部が、基台３１と、一対の案内部３２Ｌ・３２Ｒと、係合部３３とを有する。前記一対の案内部は、前記基台に沿って延在しかつ互いに対向し、前記電気コネクタに備えられた一対の被案内部を延在方向一方側または他方側から嵌合させて延在方向他方側または一方側に向かって案内し得るように前記基台に突設されている。前記係合部は、前記取付部への前記電気コネクタの取付時、前記電気コネクタに備えられた被係合部と係合できるように前記基台に設けられている。【選択図】図２
2018060617.tif 000002
【特許請求の範囲】
【請求項１】
電気コネクタを取付対象部材に取り付けるための樹脂製コネクタ取付具であって、
前記取付対象部材に固定可能に構成された固定部と、
前記固定部に連結され、前記電気コネクタを取付可能に構成された取付部とを備え、
前記取付部が、
基台と、
前記基台に沿って延在しかつ互いに対向する一対の案内部であって、前記電気コネクタに備えられた一対の被案内部を延在方向一方側または他方側から嵌合させて延在方向他方側または一方側に向かって案内し得るように前記基台に突設された一対の案内部と、
前記取付部への前記電気コネクタの取付時、前記電気コネクタに備えられた被係合部と係合できるように前記基台に設けられた係合部とを有する、コネクタ取付具。
【請求項２】
前記基台が、
前記取付部への前記電気コネクタの取付時に前記電気コネクタと対向するように、前記一対の案内部の延在方向と平行に広がる平坦面を有し
前記係合部が、
前記電気コネクタの被係合部である係合凸部に係合できるように前記平坦面に開口する係合凹部である、請求項１に記載のコネクタ取付具。
【発明の詳細な説明】
【技術分野】
【０００１】
本発明は、コネクタ取付具に関する。
【背景技術】
【０００２】
従来、電気コネクタを取付対象部材（板状部材等）に取り付けるためのコネクタ取付具として、例えば、特許文献１に記載のコネクタ取付具や、図１１（ａ）、（ｂ）に示すような金属製コネクタ取付具１００が知られている。コネクタ取付具１００は、クランク状に形成されており、固定対象部材に固定可能な固定部１０１と、電気コネクタ１５１を取付可能な取付部１０２とを備えている。
【０００３】
取付部１０２には、図１２（ａ）、（ｂ）にも示すように、一対の案内レール受け１０５と、係合片１０６とが設けられている。一対の案内レール受け１０５は、互いに対向するように延在し、電気コネクタ１５１の一対の案内レール１５２を嵌合させて案内できるように構成されている。係合片１０６は、電気コネクタ１５１の係合凸部１５３と係合できるように構成されている。
【先行技術文献】
【特許文献】
【０００４】
【特許文献１】特開平８−３２６７２６号公報
【発明の概要】
【発明が解決しようとする課題】
【０００５】
従来のコネクタ取付具（コネクタ取付具１００）によれば、取付部１０２の一対の案内レール受け１０５に対して電気コネクタ１５１の案内レール１５２を嵌合させるための正しい方向が、一対の案内レール受け１０５の延在方向一方（図１２（ａ）の矢印１１０方向）に限られていたので、コネクタ取付具１００と電気コネクタ１５１との向きをいちいち確認したうえで、コネクタ取付具１００に電気コネクタ１５１を取り付けなければならなかった。
【０００６】
本発明は、このような事情に鑑みてなされたものであり、電気コネクタを取付対象部材に取り付ける際の作業性の向上を図ることができるコネクタ取付具の提供を目的とする。
【課題を解決するための手段】
【０００７】
本発明は、
電気コネクタを取付対象部材に取り付けるための樹脂製コネクタ取付具であって、
前記取付対象部材に固定可能に構成された固定部と、
前記固定部に連結され、前記電気コネクタを取付可能に構成された取付部とを備え、
前記取付部が、
基台と、
前記基台に沿って延在しかつ互いに対向する一対の案内部であって、前記電気コネクタに備えられた一対の被案内部を延在方向一方側または他方側から嵌合させて延在方向他方側または一方側に向かって案内し得るように前記基台に突設された一対の案内部と、
前記取付部への前記電気コネクタの取付時、前記電気コネクタに備えられた被係合部と係合できるように前記基台に設けられた係合部とを有するものである。
【０００８】
この構成によれば、前記コネクタ取付具に前記電気コネクタを取り付ける際に、前記コネクタ取付具における前記一対の案内部の延在方向一方側および他方側の２方向のいずれからでもこれらの案内部に前記電気コネクタの被案内部を嵌合させることができる。よって、前記コネクタ取付具への前記電気コネクタの取付時における方向間違いによる誤取付けを防止して、取付作業の作業性を向上させることができる。
【０００９】
本発明の別の実施形態によれば、
前記基台が、
前記取付部への前記電気コネクタの取付時に前記電気コネクタと対向するように、前記一対の案内部の延在方向と平行に広がる平坦面を有し
前記係合部が、
前記電気コネクタの被係合部である係合凸部に係合できるように前記平坦面に開口する係合凹部である。
【発明の効果】
【００１０】
本発明によれば、電気コネクタを取付対象部材に取り付ける際の作業性を向上させることができるコネクタ取付具を提供できる。
【図面の簡単な説明】
【００１１】
【図１】本発明の一実施形態に係るコネクタ取付具に電気コネクタを取り付けた状態を示す側面図である。
【図２】図１のコネクタ取付具の斜視図である。
【図３】図１のコネクタ取付具の正面図である。
【図４】図１のコネクタ取付具の背面図である。
【図５】図１のコネクタ取付具の左側面図である。
【図６】図１のコネクタ取付具の右側面図である。
【図７】図１のコネクタ取付具の平面図である。
【図８】図１のコネクタ取付具の底面図である。
【図９】（ａ）図１のコネクタ取付具に電気コネクタを一方側から取り付ける場合の途中状態を示す側面図である。（ｂ）図１のコネクタ取付具に電気コネクタを他方側から取り付ける場合の途中状態を示す側面図である。
【図１０】（ａ）コネクタ取付具とこれに図９（ａ）の方向から取り付けられた電気コネクタとの係合部分を示す拡大断面図である。（ｂ）コネクタ取付具とこれに図９（ｂ）の方向から取り付けられた電気コネクタとの係合部分を示す拡大断面図である。
【図１１】（ａ）従来のコネクタ取付具と電気コネクタとの分離状態の一例を示す側面図である。（ｂ）従来のコネクタ取付具の正面図である。
【図１２】（ａ）図１１のコネクタ取付具に電気コネクタを取り付けた状態を示す側面図である。（ｂ）（ａ）のコネクタ取付具と電気コネクタとの係合部分を示す拡大断面図である。
【発明を実施するための形態】
【００１２】
本発明の実施形態について図面を参照しつつ説明する。
【００１３】
本発明の一実施形態に係るコネクタ取付具（クリップコネクタ）１は、図１に示すように、電気コネクタ２を取付対象部材３に取り付けるためのものであり、樹脂を用いて構成されている。コネクタ取付具１は、取付対象部材３に固定可能な固定部５と、固定部５に直接または間接的に連結される取付部６であって、電気コネクタ２を取付可能な取付部６とを備えている。
【００１４】
本実施形態において、電気コネクタ２は、コネクタ本体１１と、一対の被案内部１２と、ストッパ１３と、被係合部１４（図９、図１０参照）とを備えている。電気コネクタ２は、コネクタ本体１１のうちの外装部材、一対の被案内部１２、ストッパ１３および被係合部１４が一体的に接合されたものであり、これらの接合部分については可撓性を有する合成樹脂を用いて製造されている。
【００１５】
コネクタ本体１１は、概ね直方体の形状をなすものである。一対の被案内部１２は、一対の案内レールから構成され、コネクタ本体１１（前記外装部材）の一側面に沿って延在しかつ互いに対向するように略平行に配置されている。各被案内部１２は、コネクタ本体１１から突出された後で、他方の被案内部１２と対向しない反対向側（外側）に屈曲するＬ字状に形成されている。
【００１６】
ストッパ１３は、各被案内部１２の延在方向一端部に対向するようにコネクタ本体１１（前記外装部材）に設けられている。被係合部１４は、コネクタ取付具１に応じた形状をなし、一対の被案内部１２間に位置するようにコネクタ本体１１に設けられている。被係合部１４は、本実施形態においては弾性変形可能な係合凸部であり、コネクタ本体１１の一側面から突出するように形成されている。
【００１７】
また、取付対象部材３は、コネクタ取付具１に対応する取付孔１６を有している。取付対象部材３は、本実施形態においては板状部材から構成されている。取付孔１６は、コネクタ取付具１の固定部５を挿入できるように、取付対象部材３の所定箇所に貫設されている。そして、取付孔１６は、取付対象部材３が固定部５を取付孔１６に対し挿入状態に保持して固定できるように構成されている。
【００１８】
なお、電気コネクタは、本実施形態においては前述した従来の電気コネクタ１５１と同様の構造を有するものである。また、取付対象部材３は、コネクタ取付具１の固定部５を固定するために本実施形態においてはねじ溝１７を有する取付孔１５を備えたものとしているが、コネクタ取付具１の固定部５を固定できるものであればよい。
【００１９】
また、図２、図３、図４、図５、図６、図７及び図８に示すように、コネクタ取付具１において、固定部５は、挿入部２１と、左右の係合爪２２Ｌ・２２Ｒと、支え部２３とを有している。固定部５は、挿入部２１、左右の係合爪２２Ｌ・２２Ｒ、および、支え部２３が一体的に接合された樹脂成型品であり、ナイロンまたはポリプロピレン等の可撓性を有する合成樹脂を用いて製造されている。
【００２０】
挿入部２１は、取付孔１６に挿入可能に構成されている。挿入部２１は、上下方向に延在する軸状部分を備えている。挿入部２１は、取付部６の下方に配置され、軸方向一端部（上端部）で取付部６に間接的に連結されている。そして、左右の係合爪２２Ｌ・２２Ｒが、それぞれ、挿入部２１からその径方向外側へ向かって突出するように、挿入部２１の左右両側に設けられている。
【００２１】
左右の係合爪２２Ｌ・２２Ｒは、それぞれ弾性変形可能なものであり、挿入部２１に対して略左右対称に配置されている。左係合爪２２Ｌは、複数設けられており、それぞれ挿入部２１の軸方向に関して所定間隔ごとに配置されている。右係合爪２２Ｒは、複数設けられており、それぞれ挿入部２１の軸方向に関して所定間隔ごとに配置されている。
【００２２】
左右の係合爪２２Ｌ・２２Ｒは、それぞれ、弾性変形することにより挿入部２１と共に取付対象部材３に取付孔１６に挿入可能とされている。そして、左右の係合爪２２Ｌ・２２Ｒは、取付孔１６への挿入に際して、挿入部２１を取付対象部材３に対して固定すべく、各々の突出端部を取付孔１６の内面部に備えられたねじ溝１７に係合させることができるように構成されている。
【００２３】
支え部２３は、取付孔１６への挿入部２１の挿入時に取付対象部材３の表面（取付孔１６の周囲部分）に被さるように、挿入部２１からその外側に向かって突出するように設けられている。支え部２３は、弾性変形可能なものであり、挿入部２１の上部側を囲繞する環状を呈し、かつ、スカート状（ドーム状）を呈するように形成されている。
【００２４】
支え部２３は、その外周縁部が挿入部２１の上部側周囲において挿入部２１の上端部に連結された内周縁部よりも下方に位置するように配置されている。そして、支え部２３は、挿入部２１が左右の係合爪２２Ｌ・２２Ｒと共に取付孔１６へ挿入されたとき、コネクタ取付具１が取付対象部材３に支えられるように前記外周縁部を取付対象部材３に圧接させる構成とされている。
【００２５】
なお、本発明における固定部は、本実施形態においては取付部６の下方に配置された固定部５としているが、これに限定するものではなく、取付対象部材に固定可能なものであればよい。
【００２６】
また、図２、図３、図４、図５、図６、図７及び図８に示すように、取付部６は、基台３１と、基台３１にそれぞれ設けられた一対の案内部３２Ｌ・３２Ｒおよび係合部３３とを有している。取付部６は、基台３１、一対の案内部３２Ｌ・３２Ｒ、および、係合部３３が一体的に接合された樹脂成型品であり、ナイロンまたはポリプロピレン等の可撓性を有する合成樹脂を用いて製造されている。
【００２７】
本実施形態において、基台３１は、取付部６への電気コネクタ２の取付時に電気コネクタ２と対向するように、一対の案内部３２Ｌ・３２Ｒの延在方向（前後方向）と平行に広がる平坦面３６を有している。詳しくは、基台３１は、平坦面３６を上面とする略直方体の形状を有し、コネクタ取付具１の平面視で矩形状（略正方形状）に形成されている。
【００２８】
平坦面３６は、固定部５の挿入部２１の軸方向に沿って延びる延長線上に位置するように配置され、挿入部２１の略径方向に広がる、即ち略水平方向に広がるように設けられている。そして、略水平面である平坦面３６が、電気コネクタ２が取付部６に取り付けられた場合に、電気コネクタ２のうち、平坦に形成されたコネクタ本体１１の一側面と略平行に対向し得るようになっている。
【００２９】
基台３１は、コネクタ取付具１の平面視において、基台３１の全部が固定部５の支え部２３と重なり合う大きさを有している。基台３１は、固定部５の上方に配置され、電気コネクタ２を取付部６に取り付ける（縛り付ける）ためのバンドを挿通可能なバンド挿通部４０を介して、固定部５（挿入部２１の上端部）に間接的に連結されている。
【００３０】
基台３１は、コネクタ取付具１の平面視において、基台３１の略全部がバンド挿通部４０と重なり合う大きさを有するとともに、電気コネクタ２が取付部６に取り付けられたときに基台３１（平坦面３６）の全部が電気コネクタ２のコネクタ本体１１の一側面と対向する大きさを有している。そして、基台３１は、この取付時にコネクタ本体１１の下に収まるように構成されている。
【００３１】
一対の案内部３２Ｌ・３２Ｒは、基台３１に沿って延在しかつ互いに対向するように配置されている。一対の案内部３２Ｌ・３２Ｒは、電気コネクタ２の一対の被案内部１２を延在方向一方側または他方側から嵌合させて延在方向他方側または一方側に向かって案内し得るように基台３１に突設されている。本実施形態において、一対の案内部３２Ｌ・３２Ｒは、前後方向に延設されている。
【００３２】
一対の案内部３２Ｌ・３２Ｒは、電気コネクタ２の一対の被案内部１２、即ち一対の案内レールに対応する一対の案内レール受けから構成されている。一対の案内部３２Ｌ・３２Ｒは、被案内部（案内レール）１２を嵌合可能な凹形状を有するように、それぞれ基台３１（後述の平坦面３６）から上方へ突出するように設けられている。
【００３３】
一対の案内部３２Ｌ・３２Ｒは、互いの対向側（右側または左側）、前側および後側に開口し、それぞれ下端部で基台３１の左右両端部に連結されている。一対の案内部３２Ｌ・３２Ｒは、被案内部１２を各々が同時に嵌合し得る距離を隔てて配置され、前端側（後端側）から電気コネクタ２の被案内部１２を摺動可能に嵌合させて後端側（前端側）に向かって案内できるように構成されている。
【００３４】
一対の案内部３２Ｌ・３２Ｒは、それぞれ、電気コネクタ２の一対の被案内部１２を嵌合させて前後方向へ案内すべく相対移動させる際、電気コネクタ２が取付部６に対して所定の最終位置に達すると、一対の案内部３２Ｌ・３２Ｒの摺動がストッパ１３により規制されるように後端側（前端側）でストッパ１３と対向するように形成されている（図１参照）。
【００３５】
この際、一対の案内部３２Ｌ・３２Ｒは、電気コネクタ２の一対の被案内部１２を前側（延在方向一方側）から嵌合させて後側（延在方向他方側）に向かって図９（ａ）の矢印３７Ａ方向へ、または、電気コネクタ２の一対の被案内部１２を後側（延在方向他方側）から嵌合させて前側（延在方向一方側）に向かって図９（ｂ）の矢印３７Ｂ方向へ相対移動させることとなる。
【００３６】
係合部３３は、取付部６への電気コネクタ２の取付時、図１０（ａ）、（ｂ）に示すように、電気コネクタ２の被係合部１４と係合できるように基台３１に設けられている。本実施形態において、係合部３３は、電気コネクタ２の一側面に対向し得る平坦面３６側に形成され、一対の案内部３２Ｌ・３２Ｒの間であって基台３１（平坦面３６）の略中央部に配置されている。
【００３７】
係合部３３は、電気コネクタ２の被係合部１４である係合凸部に係合できるように基台３１の平坦面３６に開口する係合凹部から構成されている。係合部３３は、平面視で四角形状であって、上方へ向かって開口しかつ電気コネクタ２の被係合部１４を収容可能な内部空間が生じるように平坦面３６に対して下方（平坦面３６を挟んで一対の案内部３２Ｌ・３２Ｒとは上下反対側）へ凹む形状とされている。
【００３８】
係合部（係合凹部）３３は、電気コネクタ２の被係合部１４と係合するために当該被係合部１４と接触する接触面３８Ｆ・３８Ｒをそれぞれ前端側および後端側に備えている。接触面３８Ｆ・３８Ｒは、それぞれ係合部３３の内面に含まれる略垂直面であり、略同一の表面積を有するように平坦面３６からその下方側へ広がるように形成されている。
【００３９】
このように構成されるコネクタ取付具１を用いて電気コネクタ２を取付対象部材３に取り付ける場合、まず、一対の案内部３２Ｌ・３２Ｒの各々に被案内部１２を、それぞれ、図９（ａ）に示すように一対の案内部３２Ｌ・３２Ｒの前方側から、または図９（ｂ）に示すように一対の案内部３２Ｌ・３２Ｒの後方側から挿入して嵌合させる。
【００４０】
次に、一対の案内部３２Ｌ・３２Ｒにより被案内部１２を案内しつつ、係合部３３に被係合部１４が接近するように、取付部６に対して電気コネクタ２のコネクタ本体１１を相対移動させる。この相対移動は、図９（ａ）または（ｂ）のような途中状態から一対の案内部３２Ｌ・３２Ｒの摺動がストッパ１３により規制されるまで行う（図１参照）。
【００４１】
結果、被係合部１４が係合部３３に達すると、被係合部１４に対する基台３１の押圧力がなくなって、被係合部１４が下方へ向かって弾性復帰し、図１０（ａ）または（ｂ）のように被係合部１４と係合部３３とが係合する。すなわち、一対の案内部３２Ｌ・３２Ｒとストッパ１３との係合状態、および、係合部３３と被係合部１４との係合状態とが同時に実現される。
【００４２】
したがって、これらの係合により、コネクタ取付具１が、電気コネクタ２に対して前後方向に相対移動しないように、電気コネクタ２を所定の前後位置に取り付けた状態に保持できることとなる。その後、電気コネクタ２を取付部６に取り付けた状態のコネクタ取付具１の固定部５の一部（挿入部２１および左右の係合爪２２Ｌ・２２Ｒ）を取付対象部材３の取付孔１６へ挿入する。
【００４３】
これにより、図１に示すように、左右の係合爪２２Ｌ・２２Ｒを取付孔１６のねじ溝１７に係合させて、挿入部２１ひいては固定部５を取付対象部材３に固定することができる。その際、支え部２４が取付対象部材３の表面に圧接することとなり、取付対象部材３に対して固定部５ひいてはコネクタ取付具１を取付対象部材３に対してがたつかないように支持でできる。
【００４４】
こうして、コネクタ取付具１を用いた取付対象部材３に対する電気コネクタ２の取付作業を完了させることができる。また、コネクタ取付具１へ電気コネクタ２を取り付ける際に、コネクタ取付具１における一対の案内部３２Ｌ・３２Ｒの延在方向一方側および他方側（前側および後側）の２方向（矢印３７Ａ方向および矢印３７Ｂ方向）のいずれからでもこれらに電気コネクタ２の被案内部１２を挿入して嵌合させることができる。よって、コネクタ取付具１への電気コネクタ２の取付時における方向間違いによる誤取付けを防止して、取付作業の作業性を向上させることができる。
【００４５】
また、本実施形態において、固定部５と取付部６との間に、前述のバンド挿通部４０が設けられている。バンド挿通部４０は、取付部６上に設けられた電気コネクタ２を囲繞しその囲繞した状態を保持するためのバンド（図１参照）を挿通できるように構成されている。なお、このバンドとしては、従来一般的に知られているものが利用可能である。
【００４６】
詳しくは、図２、図３、図４、図５、図６、図７及び図８に示すように、バンド挿通部４０は、固定部５の挿入部２１に連結された連結部５０と、連結部５０と取付部６の基台３１とを繋ぐ第１柱部５１および第２柱部５２とを有するとともに、挿通孔５３を有している。バンド挿通部４０は、挿入部２１および基台３１の各々と一体的に接合されており、合成樹脂で製造されている。
【００４７】
連結部５０は、略直方体の形状を有し、コネクタ取付具１の平面視で矩形状に形成されている。連結部５０は、コネクタ取付具１の平面視において、連結部５０の全部が取付部６（基台３１）と重なり合う大きさを有している。連結部５０は、基台３１の下方でこれと所定間隔を隔てて略平行に配置され、連結部５０の下面で固定部５の挿入部２１の上端部と連結されている。
【００４８】
第１柱部５１および第２柱部５２は、それぞれ、連結部５０の上面に立設され、基台３１の下面と連結されている。第１柱部５１および第２柱部５２は、連結部５０および基台３１の各々の右前部の角部分と左後部の角部分とに位置するように設けられ、互いの間をバンド４５が通過できるように連結部５０の一方の対角線方向に所定間隔を隔てて配置されている。
【００４９】
挿通孔５３は、バンド４５を挿通させるためのものであり、連結部５０、第１柱部５１、第２柱部５２、および、基台３１に囲まれて形成されている。挿通孔５３は、バンド挿通部４０において、左中央付近から左前部を経て前部中央付近にわたる領域で開口するとともに、右中央付近から右後部を経て後部中央付近にわたる領域で開口するように設けられている。
【００５０】
このような構成により、係合部３３および被係合部１４を用いて電気コネクタ２を取付部６に取り付けたうえで、バンド４５を用いて電気コネクタ２を取付部６に縛り付けることが可能となり、電気コネクタ２を取付部６により強固に取り付けることができる。また、仮に係合部３３および被係合部１４を使用できない場合でも電気コネクタ２を取付部６に取り付けることが可能となる。
【００５１】
なお、上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００５２】
１    コネクタ取付具
２    電気コネクタ
３    取付対象部材
５    固定部
６    取付部
１２  電気コネクタの被案内部
１４  電気コネクタの被係合部
３１  基台
３２Ｌ・３２Ｒ  一対の案内部
３３  係合部
３６  対向面
【図１】
2018060617.tif 000003
【図２】
2018060617.tif 000004
【図３】
2018060617.tif 000005
【図４】
2018060617.tif 000006
【図５】
2018060617.tif 000007
【図６】
2018060617.tif 000008
【図７】
2018060617.tif 000009
【図８】
2018060617.tif 000010
【図９】
2018060617.tif 000011
【図１０】
2018060617.tif 000012
【図１１】
2018060617.tif 000013
【図１２】
2018060617.tif 000014